(57)【要約】【課題】着用者の股部にフィットする使い捨てのパンツ型おむつの提供。【解決手段】使い捨てのパンツ型おむつが胴回り被覆部材１と股下部材２とを有する。股下部材２は、胴回り被覆部材１の前胴回り部３に重なる前端部分２６を有し、前端部分２６のうちの上方部分２６ａが胴回り被覆部材１における弾性域に接合される。前端部分２６のうちの下方部分２６ｂはその弾性域に対して非接合状態にある。股下部材２のうちで下方部分２６ｂに下方から隣接する部位は、弾性域よりも下方に形成されているおむつにおいての非弾性域に接合される。股下部材２に含まれている吸収体は、股下部材２の下方から下方部分２６ｂにまで延びている。股下部材２の前端部分２６における上方部分２６ａは、吸収体を被覆している被覆シートが吸収体から延出している部分によって形成される。【選択図】図２
2015000180.tif 000002
【特許請求の範囲】
【請求項１】
前胴回り部と後胴回り部と股下部とのうちの少なくとも前記前胴回り部と前記後胴回り部とを形成していて環状を呈することが可能な胴回り被覆部材を備えるとともに、前記前胴回り部と前記後胴回り部との間に延びていて前記胴回り被覆部材の内面に重なる前端部分と後端部分とを有するとともに体液吸収性の吸収体を含んでいて前記股下部を形成することのできる股下部材を備えた使い捨てのパンツ型おむつであって、
前記胴回り被覆部材は、前記胴回り被覆部材の周方向へ互いに並行して延びる複数条の弾性部材が伸長状態で取り付けられている弾性域を有し、
前記股下部材は、前記前端部分と前記後端部分とを結ぶ方向へ延びる長さ方向を有するものであって、前記吸収体を前記おむつの内側から被覆する透水性の表面シートと前記吸収体を前記おむつの外側から被覆する不透水性の裏面シートとによって形成される被覆シートを有し、前記被覆シートが前記長さ方向において前記吸収体からの延出部を有し、
前記おむつの上下方向において、前記股下部材は、前記前端部分が前記胴回り被覆部材の前記弾性域における前記内面に対して接合状態にある上方部分と、前記弾性域における前記内面に対して非接合状態にあって前記上方部分の下方に位置する下方部分とを有し、前記上下方向の下方から前記下方部分に隣接する部位が前記おむつにおいて前記弾性域の下方に形成されていて前記周方向へ延びる弾性部材を含むことのない非弾性域に対して接合状態にあり、
前記股下部材の下方から上方に向かって前記長さ方向へ延びる前記吸収体が前記下方部分にまで延びていて、前記上方部分が前記被覆シートの前記延出部によって形成されていることを特徴とする前記おむつ。
【請求項２】
前記下方部分は、前記胴回り被覆部材の前記周方向において対向する両側縁部を有し、前記両側縁部それぞれの一部分が前記弾性域に接合している請求項１記載のおむつ。
【請求項３】
前記吸収体は、前記下方部分の下方において互いに並行して前記長さ方向へ延びる複数の圧搾条溝を有し、前記圧搾条溝が前記長さ方向に直交する幅方向の寸法を二等分する中心線に関して対称となるように形成されている請求項１または２記載のおむつ。
【請求項４】
前記股下部材には、前記股下部材の両側それぞれに、近位縁部と遠位縁部とを有していて前記長さ方向へ延びる防漏カフ部が形成され、前記遠位縁部は前記長さ方向においての弾性的な伸長と収縮とが可能に形成されていて前記長さ方向における一端部が前記下方部分に位置している請求項１−３のいずれかに記載のおむつ。
【請求項５】
前記吸収体は、体液吸収性の芯材を透水性のラッピングシートで被覆することにより形成されていて、前記幅方向では、前記圧搾条溝どうしの間において前記ラッピングシートどうしが重なり合っている請求項３または４記載のおむつ。
【請求項６】
前記胴回り被覆部材および前記股下部材は、前記胴回り被覆部材における前記弾性域よりも下方に、前記周方向へ延びる弾性部材を含むことのないものである請求項１−５のいずれかに記載のおむつ。
【発明の詳細な説明】
【技術分野】
【０００１】
この発明は、使い捨てのパンツ型おむつに関し、より詳しくは股下部をおむつ着用者にフィットさせるのに好適な使い捨てのパンツ型おむつに関する。
【背景技術】
【０００２】
従来、使い捨てのパンツ型おむつは周知であり、おむつの股下部をおむつ着用者にフィットさせようとすると使い捨てのパンツ型おむつは公知である。
【０００３】
例えば、特開２００２−３２０６４１号公報（特許文献１）に記載のパンツ型吸収性物品の一例は、女性用ショーツ型吸収性物品や使い捨てのおむつであって、パンツ型の外装体と外装体の内面側に固定された吸収体を有する吸収性本体とによって形成されている。吸収性本体は長手方向の両端部と両端部の間の中間部とに外装体に対する接合部を有し、接合部と接合部との間には外装体に対する非接合部が形成されている。吸収性本体では、長手方向へ延びる弾性部材が吸収性本体の外面側に伸長状態で取り付けられている。外装体には、その幅方向へ延びる胴周囲弾性部材が伸長状態で取り付けられている。
【先行技術文献】
【特許文献】
【０００４】
【特許文献１】特開２００２−３２０６４１号公報
【発明の概要】
【発明が解決しようとする課題】
【０００５】
吸収性本体の外面側において弾性部材が収縮すると、その弾性部材が吸収性本体の長手方向へ延びているものであっても、外装体の幅方向へ延びているものであっても、吸収性本体は、吸収性物品の着用者の肌に向かって凸となるように変形して、その肌に密着することが可能になる。しかし、着用者が男性の失禁患者である場合には、そのように変形する吸収性本体が男性器を圧迫することがあり、吸収性物品は身体によくフィットするとはいい難いものになる。
【０００６】
そこで、この発明は、着用者が男性である場合において、その着用者の股部にフィットさせることが容易となるように改良された使い捨てのパンツ型おむつの提供を課題にしている。
【課題を解決するための手段】
【０００７】
前記課題を解決するためにこの発明が対象とするのは、前胴回り部と後胴回り部と股下部とのうちの少なくとも前記前胴回り部と前記後胴回り部とを形成していて環状を呈することが可能な胴回り被覆部材を備えるとともに、前記前胴回り部と前記後胴回り部との間に延びていて前記胴回り被覆部材の内面に重なる前端部分と後端部分とを有するとともに体液吸収性の吸収体を含んでいて前記股下部を形成することのできる股下部材を備えた使い捨てのパンツ型おむつである。
【０００８】
このおむつにおいて、この発明が特徴とするところは、以下のとおりである。前記胴回り被覆部材は、前記胴回り被覆部材の周方向へ互いに並行して延びる複数条の弾性部材が伸長状態で取り付けられている弾性域を有する。前記股下部材は、前記前端部分と前記後端部分とを結ぶ方向へ延びる長さ方向を有するものであって、前記吸収体を前記おむつの内側から被覆する透水性の表面シートと前記吸収体を前記おむつの外側から被覆する不透水性の裏面シートとによって形成される被覆シートを有し、前記被覆シートが前記長さ方向において前記吸収体からの延出部を有する。前記おむつの上下方向において、前記股下部材は、前記前端部分が前記胴回り被覆部材の前記弾性域における前記内面に対して接合状態にある上方部分と、前記弾性域における前記内面に対して非接合状態にあって前記上方部分の下方に位置する下方部分とを有し、前記上下方向の下方から前記下方部分に隣接する部位が前記おむつにおいて前記弾性域の下方に形成されていて前記周方向へ延びる弾性部材を含むことのない非弾性域に対して接合状態にある。前記股下部材の下方から上方に向かって前記長さ方向へ延びる前記吸収体が前記下方部分にまで延びていて、前記上方部分が前記被覆シートの前記延出部によって形成されている。
【発明の効果】
【０００９】
この発明に係るパンツ型の使い捨ておむつでは、互いに重なり合う胴回り被覆部材と股下部材の前端部分とのうちで、前端部分においての吸収体を含む部位、すなわち前端部分における下方部分は胴回り被覆部材における弾性域に対して接合していないから、弾性域が胴回り被覆部材の周方向へ収縮すると、吸収体を含むその下方部分には大きなしわができて、股下部材の見掛け上の幅が小さくなると同時におむつの外側に向かって突出するように変形する。そのような変形は、下方部分に対しておむつの下方から隣接している部位にも延びて、男性器を収容するのに好適なスペースを股下部材に作り出すことができる。男性器をそのように収容することのできる股下部材は、着用者の股部に対してフィットさせることが容易なものになる。
【図面の簡単な説明】
【００１０】
【図１】使い捨てのパンツ型おむつの斜視図。
【図２】図１のおむつから得られた伸展おむつの部分破断斜視図。
【図３】図２における胴回り被覆部材の斜視図。
【図４】図２の線Ｓ４に沿う切断面を示す図。
【図５】図２の線Ｓ３，Ｓ５に沿う切断面を示す図。
【図６】図２の線Ｓ２に沿う切断面を示す図。
【図７】図２の線Ｓ１，Ｓ６に沿う切断面を示す図。
【図８】図２の線Ｓ０に沿う切断面を示す図。
【図９】実施態様の一例を示す体液吸収部の部分破断平面図。
【図１０】図９のＸ−Ｘ線に沿う切断面を示す図。
【発明を実施するための形態】
【００１１】
添付の図面を参照して、この発明に係る使い捨てのパンツ型おむつの詳細を説明すると、以下のとおりである。
【００１２】
図１は、この発明の実施態様の一例として示す大人用の使い捨てのパンツ型おむつ１０の斜視図である。おむつ１０は、男性の失禁患者が使用するのに好適なもので、パンツ型に作られた胴回り被覆部材１と、胴回り被覆部材１に取り付けられていて体液吸収性を有する股下部材２（図２参照）とを有する。胴回り被覆部材１は、パンツ型着用物品における前胴回り部と後胴回り部と股下部とのうちの少なくとも前胴回り部と後胴回り部とを有していればよいものであるが、図には、前胴回り部３と、後胴回り部４と、股下部５とを有する例が示されている。前胴回り部３と後胴回り部４とは、前胴回り部３の側縁７と後胴回り部４の側縁８とが合掌状に重なり合い、超音波処理によって形成された複数の部位９において接合することによって、おむつ１０の着用時に環状を呈することが可能な胴回り部１１を形成している。おむつ１０にはまた、胴回り開口１２と一対の脚回り開口１３とが形成されている。胴回り開口１２は、前胴回り部３の頂縁部３ａと、後胴回り部４の頂縁部４ａとによって画定されている。胴回り被覆部材１は、前胴回り部３と股下部５の一部分とに広がる前方外装シート１６と、後胴回り部４と股下部５の一部とに広がる後方外装シート１７と、股下部５に広がる中央外装シート１８とを有している。図には、おむつ１０の横方向と上下方向と前後方向とがＸ，Ｙ，Ｚで示されている。
【００１３】
図２は、図１のおむつ１０において前胴回り部３と後胴回り部４とが接合する部位９の接合を解いておむつ１０を平面状に伸展することによって得られる伸展おむつ２０についての内面側を示す部分破断斜視図である。伸展おむつ２０についての内面側とは、おむつ１０の内面側でもある。
【００１４】
伸展おむつ２０において明らかなように、胴回り被覆部材１は砂時計型に形成されていて前胴回り部３と後胴回り部４と股下部５とに広がる中央外装シート１８と、おむつ１０の外側から中央外装シート１８に接合している前方外装シート１６と、同じように外側から外装シート１８に接合している後方外装シート１７とを有する（図１参照）。前方外装シート１６と中央外装シート１８との間には、横方向Ｘへ伸長状態で延びる複数条の前方胴回り弾性部材２１が介在している。後方外装シート１７と中央外装シート１８との間には、横方向Ｘへ伸長状態で延びる複数条の後方胴回り弾性部材２２が伸長状態で介在している。また、後方外装シート１７と中央外装シート１８との間には、前胴回り部３に向かって凸となる曲線を画いて横方向Ｘへ延びる複数条の脚回り弾性部材２３が少なくとも部分的に伸長された状態で介在している。胴回り被覆部材１において、前方胴回り弾性部材２１が存在する部位は前方弾性域であり、後方胴回り弾性部材２２が存在する部位は後方弾性域である。また、後方脚回り弾性部材２３が存在する部位は後方脚回り弾性域である。ただし、股下部５の前方部分である後記中心線Ｑと前胴回り部３との間の部分および前胴回り部３の下方部分には横方向Ｘへ延びる弾性部材が存在しておらず、その意味においてこれらの部分は非弾性域である。なお、おむつ１０において、前方外装シート１６と後方外装シート１７とは、それらの一部分が前胴回り部３の頂縁部３ａと後胴回り部４の頂縁部４ａとにおいておむつ１０の内面側に折り返されているものであるが、図２においては、その折り返されている部分１６ａ，１７ａが仮想線で示され、折り返される前の状態にある部分１６ａ，１７ａが実線で示されている。
【００１５】
また、伸展おむつ２０において明らかなように、股下部材２は、胴回り被覆部材１の股下部５から前胴回り部３と後胴回り部４とにまで延びていて、前胴回り部３の内面に重なるとともに一部分が前胴回り部３に接合している前端部分２６と、後胴回り部４の内面に重なるとともに一部分が後胴回り部４に接合している後端部分２７と、一部分が股下部５に接合している中間部２８とを有する。股下部材２はまた、平面形状が矩形に形成されている体液吸収部３１と、横方向Ｘにおいて体液吸収部３１の両側に形成されている一対の防漏カフ部３２とを有する。ただし、図２において、防漏カフ部３２の一方は実線で示されているが、もう一方は仮想線で示されている。おむつ１０および伸展おむつ２０において、股下部５というときには、横方向Ｘの両側に位置する縁部が脚回り開口１３を画定している部位を意味する。前胴回り部３と後胴回り部４とは、図１において脚回り開口１３よりも上方に位置している部位を意味する。また、この発明において、弾性域というときには、伸長状態にあって互いに並行する弾性部材どうしが弾性的に伸長、収縮可能な状態で存在する部位であって、弾性部材どうしの間の間隔が１５ｍｍ以下の状態にある部位を意味している。
【００１６】
防漏カフ部３２は、体液吸収部３１に対して接合し、固定されている近位縁部３３と、股下部５において体液吸収部３１に対して接合しておらず、離間可能な状態にある遠位縁部３４とを有し、遠位縁部３４には一条または複数条の弾性部材３６が伸長状態で取り付けられている。かかる遠位縁部３４は、弾性的な伸長と収縮とが可能な部位であるが、体液吸収部３１の前端部分２６と後端部分２７とにおける後記下方部分２６ｂ、２７ｂに対して接合し、固定されている。このように形成されている防漏カフ部３２は、おむつ１０が図１の状態にあるときには、弾性部材３６が収縮することによって、おむつ１０の少なくとも股下部５においては遠位縁部３４が体液吸収部３１からおむつ１０の上方に向かって離間し、防漏カフ部３２のそれぞれが体液吸収部３１に対して起立した状態になる。
【００１７】
図３は、図２における胴回り被覆部材１の斜視図であって、股下部材２の位置が仮想線７０で示されている。また、仮想線７０で画定された矩形７０ａの内側には、股下部材２を接合するために塗布されたホットメルト接着剤ＨＡの塗布域７１−７４が多数のドットによって示されている。矩形７０ａの内側にはまた、ホットメルト接着剤ＨＡの塗布されていない非塗布域７６−７８が形成されている。矩形７０ａの内側にはさらに、防漏カフ部３２における弾性部材３６のうちで伸長、収縮が可能な状態にある部分３６ａが仮想線で示されている。
【００１８】
図４，５，６，７は、図２の伸展おむつ２０における胴回り被覆部材１と股下部材２との横方向Ｘにおける切断面を示す図であって、図４は図２の線Ｓ４に沿う切断面を示し、図５は線Ｓ３，Ｓ５に沿う切断面を示し、図６は線Ｓ２に沿う切断面を示し、図７は線Ｓ１，Ｓ６に沿う切断面を示している。
【００１９】
図４において、線Ｓ４は図２の伸展おむつ２０における前後方向の寸法を二等分する中心線Ｑに一致している。股下部材２における体液吸収部３１は、少なくとも粉砕パルプと高吸水性ポリマー粒子とを含む吸水性材料の集合体である芯材４１および芯材４１を被覆する透水性のラッピングシート４２によって形成される吸収体４０と、ラッピングシート４２を介して芯材４１の内面側を被覆している透水性の表面シート４３と、ラッピングシート４２を介して芯材４１の外面側を被覆している不透水性の裏面シート４４とを有する。表面シート４３と裏面シート４４とは、吸収体４０に対する被覆シートを形成している。その被覆シートのうちの裏面シート４４はまた、図３の塗布域７３において胴回り被覆部材１に接合し、前後方向Ｚの両端部は股下部材２の前後端部２６，２７それぞれの下方部分２６ｂ、２７ｂに隣接している。芯材４１は、それが軽失禁用のものであって粉砕パルプと高吸水性ポリマー粒子とで形成される場合、単位面積当たりの質量が３００−６００ｇ／ｍ２の範囲にあって、パルプの量が６０−４０重量％の範囲にあり、高吸水性ポリマー粒子の量が４０−６０重量％の範囲にあることが好ましい。具体的な一例として、３００ｇ／ｍ２のパルプと２００ｇ／ｍ２の高吸水性ポリマー粒子とが、均一に混合された状態や互いに重なり合った層を形成した状態で使用することができる他に、芯材４１の横方向Ｘや前後方向Ｚにおいて高吸水性ポリマー粒子の分布量が異なる状態で使用することもできる。例えば、高吸水性ポリマー粒子を芯材４１の横方向Ｘにおける中央部には２５０ｇ／ｍ２の割合で使用し、両側部では４５ｇ／ｍ２の割合で使用することができる。高吸水性ポリマー粒子には、当該技術分野において慣用のもの、例えばデンプン−アクリロニトリル共重合体の加水分解物等を使用することができる。芯材４１はまた、吸水性材料を空気流を利用して混合し所要形状の型の内部に堆積させることによって成形したものを使用することができる他に、堆積させたものに散水してからそれを加圧圧縮して使用することもできる。
【００２０】
ラッピングシート４２には、ティッシュペーパや透水性の不織布等を使用することができる。ラッピングシート４２は、芯材４１の外面４１ｂに対してホットメルト接着剤ＨＡを介して接合した状態にあって、その芯材４１から側方へ延出する部分が芯材４１に巻き付けられて芯材４１の内面４１ａを覆い、股下部材２の横方向の寸法を二等分している中心線Ｐの両側においてラッピングシート４２の側部４２ａ，４２ｂどうしが重なり合い、ホットメルト接着剤ＨＡを介して互いに接合するとともに芯材４１に対しても接合している。芯材４１がホットメルト接着剤ＨＡを介してラッピングシート４２に接合している部位は、吸水性材料の集合体のラッピングシート４２に対する接合域である。
【００２１】
好ましい芯材４１では、ラッピングシート４２のうちの互いに重なり合う側部４２ａ，４２ｂが透水性のカバーシート４５によって覆われていて、側部４２ａと４２ｂとの間から吸水性材料の漏れ出ることを防止している。そのカバーシート４５は、ホットメルト接着剤ＨＡを介してラッピングシート４２に接合している。
【００２２】
このような芯材４１とラッピングシート４２とは、芯材４１の両側部分４６において互いに密着してはいるが、非接合状態にある。また、横方向Ｘにおいて芯材４１の外側に位置して重なり合うラッピングシート４２どうしは、ホットメルト接着剤ＨＡを介して互いに接合している。したがって、芯材４１は、その外面４１ｂの全体がラッピングシート４２に対して固定されるとともに、内面４１ａは中心線Ｐの両側に位置する部分のみがラッピングシート４２に固定されているが、両側部分４６における内面４１ａはホットメルト接着剤によって覆われることがない。したがって、両側部分４６の内面４１ａでは、ラッピングシート４２を介しての体液の吸収がホットメルト接着剤によって妨げられることがなく、また、内面４１ａを形成している粉砕パルプや高吸水性ポリマー粒子の動き、例えば高吸水性ポリマー粒子が膨潤しようとする動きはホットメルト接着剤の存在によって妨げられるということがない。このように高吸水性ポリマー粒子がその周囲によって妨げられることなく自由に膨潤することができる吸収体４０は、体液の吸収速度が速く、単位時間当たりの吸収量が多いものになり得る。
【００２３】
表面シート４３と裏面シート４４とにおいて、表面シート４３は、熱可塑性合成繊維を使用した不織布や開孔プラスチックフィルムで形成されている。裏面シート４４は、プラスチックフィルム、より好ましくは通気透液性のプラスチックフィルムによって形成されている。表面シート４３と裏面シート４４とは、互いに重なり合う部分においてホットメルト接着剤（図示せず）を介して接合している。表面シート４３は、スパイラル状やドット状、ストライプ状等の適宜の塗布状態にあるホットメルト接着剤（図示せず）を介してラッピングシート４２に接合することができる。
【００２４】
防漏カフ部３２は、近位縁部３３がホットメルト接着剤（図示せず）を介して体液吸収部３１に接合している。遠位縁部３４は、図２において表面シート４３に重なるように倒伏した状態にあるものであるが、図３では遠位縁部３４を明示するために、表面シート４３から離間した状態で示されている。おむつ１０が図１の状態にあるときには、体液吸収部３１における前端部分２６と後端部分２７との間にある部分、具体的には図３に仮想線３６ａで示されている部分の弾性部材３６が収縮することによって、遠位縁部３４は仮想線で示されるように体液吸収部３１に対して起立した状態になり、体液の横漏れを防止するカフとしての機能を発揮する。このように形成されている図４における股下部材２は、図３における塗布域７３において胴回り被覆部材１に接合している。
【００２５】
図５は、体液吸収部３１のうちで、胴回り被覆部材１における前胴回り部３と後胴回り部４とのそれぞれに重なっている前端部分２６と後端部分２７とのそれぞれを芯材４１を含んでいる下方部分２６ｂ、２７ｂそれぞれにおいて横断している線Ｓ３，Ｓ５に沿う切断面を示す図であるが、線Ｓ３に沿う切断面と線Ｓ５に沿う切断面とは実質的な意味において同じである。線Ｓ３と線Ｓ５とは、胴回り被覆部材１における非塗布域７６と７８とを横断している線でもある。図５における切断面と図４における切断面とを比較すると、両図における矩形の体液吸収部３１の横方向Ｘの寸法、即ち幅は同じであるが、図５では芯材４１が体液吸収部３１の幅全体に広がっていて、芯材４１の外側にはラッピングシート４２どうしの重なり合う部分がない。また、図５の芯材４１では、その幅が図４のそれよりも大きく、それに伴って、芯材４１においてラッピングシート４２に対して非接合状態にある両側部分４６は、図４における両側部分４６よりも横方向Ｘにおける寸法が大きくなっている。防漏カフ部３２の体液吸収部３１に対する取り付け状態は、図４のそれと同じである。互いに対向する裏面シート４４と中央外装シート１８とは非接合状態にあり、その中央外装シート１８にはおむつ１０の外側から前方外装シート１６または後方外装シート１７がホットメルト接着剤（図示せず）を介して接合している。
【００２６】
図６は、胴回り被覆部材１における塗布域７２と非塗布域７６とを横断している線Ｓ２に沿う切断面を示している。塗布域７２は、股下部材２の前端部分２６のうちで芯材４１を含んでいる下方部分２６ｂの両側部分を一部分だけ胴回り被覆部材１に接合するために設けられている。塗布域７２は、おむつ１０の大きさにもよるが、図３における横方向Ｘの寸法を５−２０ｍｍ、前後方向Ｚの寸法を１０−３０ｍｍに設定して、少なくとも１条の前方胴回り弾性部材２１が塗布域７２と塗布域７２との間に延びている状態を作り得ることが好ましい。そのように延びている前方胴回り弾性部材２１は、それが収縮するときに股下部材２の両側部分のみに直接作用し、両側部分を横方向Ｘへ引き寄せて股下部材２の見掛け上の幅を狭め、股下部材２の横方向Ｘにおける中央部分がその外側に向かって突出するように変形することを促進することができる。
【００２７】
図７は、体液吸収部３１の前端部分２６と後端部分２７とのうちで、芯材４１を含むことのない部位である上方部分２６ａ，２７ａを横断している線Ｓ１とＳ６とに沿う切断面を示している。ただし、これらの線Ｓ１，Ｓ６のそれぞれに沿う切断面の状態は、実質的に同じである。図７では、前後方向Ｚにおいて芯材４１から延出しているラッピングシート４２どうしがホットメルト接着剤ＨＡを介して接合し、表面シート４３と裏面シート４４とがそれらと重なり合うラッピングシート４２に対してホットメルト接着剤（図示せず）を介して接合している。裏面シート４４と、防漏カフ部３２と、中央外装シート１８とは塗布域７１または塗布域７４におけるホットメルト接着剤ＨＡを介して接合し、中央外装シート１８と前方外装シート１６または後方外装シート１７とは、重なり合うものどうしがホットメルト接着剤（図示せず）を介して接合している。また、防漏カフ部３２の遠位縁部３４は、表面シート４３に重なり、ホットメルト接着剤（図示せず）を介してその表面シート４３に接合している。
【００２８】
図８は、図２の線Ｓ０に沿う体液吸収部３１の切断面を示す図であり、線Ｓ０は図２の中心線Ｐに一致している。図８にはまた、胴回り被覆部材１において、線Ｓ０に沿って観察される塗布域７１，７３，７４と非塗布域７６，７８とが示されている。体液吸収部３１では、ラッピングシート４２とカバーシート４５と表面シート４３と裏面シート４４とが芯材４１から延出し、互いに重なり合うものどうしがホットメルト接着剤ＨＡを介して接合している。吸収体４０に対する被覆シートである表面シート４３と裏面シート４４とは、芯材４１からの延出部が股下部材２の前端部分２６と後端部分２７とにおける上方部分２６ａ，２７ａを形成している。互いに接合している中央外装シート１８と前方外装シート１６とは塗布域７１において股下部材２に接合し、互いに接合している中央外装シート１８と後方外装シート１７とは塗布域７４において股下部材２と接合している。前方外装シート１６が中央外装シート１８から延出する部分１６ａと後方外装シート１７が中央外装シート１８から延出する部分１７ａとは、中央外装シート１８の縁部に沿って折り返されて中央外装シート１８と股下部材２とに重なるとともにホットメルト接着剤（図示せず）を介して接合している。前方外装シート１６と後方外装シート１７とは、そのように折り返されることによっておむつ１０の胴回り開口１２の頂縁部３ａ，４ａを形成している（図１参照）。重なり合う中央外装シート１８と前方外装シート１６との間、および重なり合う中央外装シート１８と後方外装シート１７との間には、前方胴回り弾性部材２１と後方胴回り弾性部材２２とが介在している。これら両弾性部材２１，２２の好ましい一例においては、６２０ｄｔｘのライクラ（登録商標）４．５Ｋ  ＣＩＳが１．５−３倍の伸長倍率で使用される。両弾性部材２１，２２のさらに好ましい一例においては、両弾性部材２１，２２の伸長倍率が頂縁部３ａ，４ａから股下部５に向かって段階的に小さくなる態様にある。そのような態様で使用される両弾性部材２１，２２、特に前方胴回り弾性部材２１は、股下部材２における横方向Ｘの中央部分を男性器の収容が容易となるように突出させるように作用する。
【００２９】
図９，１０は、実施態様の一例を示す体液吸収部３１の部分破断平面図と、その平面図におけるＸ−Ｘ線断面図である。図示例の体液吸収部３１には、芯材４１とラッピングシート４２とに対して一対の圧搾条溝６１が形成されていて、それらの圧搾条溝６１がカバーシート４５によって覆われている。圧搾条溝６１は、芯材４１とラッピングシート４２とが芯材４１の内面４１ａから外面４１ｂへ向かう方向へ局部的に圧搾されることで形成されている。圧搾条溝６１の底部６１ａでは粉砕パルプ等の吸水性材料が圧縮された状態にあり、底部６１ａにおける芯材４１の密度は圧搾条溝６１の周辺域における芯材４１の密度よりも高くなっている。好ましい圧搾条溝６１は、ホットメルト接着剤ＨＡを介して芯材４１とラッピングシート４２とが接合している部位において、中心線Ｐに関して対称となるように形成される。また、圧搾条溝６１は、股下部５の前方部分に形成されていることが好ましい。おむつ１０が男性用のものである場合において、股下部５の前方部分に形成される一対の圧搾条溝６１は、それらの間に男性器が納まるようにおむつ１０が着用されると、横方向Ｘにおいて股下部材２が圧搾条溝６１で折れ曲がり易くなるように作用して、股下部材２が身体によくフィットして、おむつ１０が着用感のよいものになる。圧搾条溝６１のこのような作用は、股下部材２の前端部分２６に対する前方胴回り弾性部材２１の作用が加わることによって顕著になる。体液吸収部３１におけるカバーシート４５は、粉砕パルプや高吸水性ポリマー粒子等の吸水性材料がラッピングシート４２やラッピングシート４２の破れ目から漏れ出して肌に接触するという問題の発生を防ぐことができる。
【００３０】
以上に記載したこの発明に関する開示は、少なくとも下記事項に整理することができる。
【００３１】
前胴回り部と後胴回り部と股下部とのうちの少なくとも前記前胴回り部と前記後胴回り部とを形成していて環状を呈することが可能な胴回り被覆部材を備えるとともに、前記前胴回り部と前記後胴回り部との間に延びていて前記胴回り被覆部材の内面に重なる前端部分と後端部分とを有するとともに体液吸収性の吸収体を含んでいて前記股下部を形成することのできる股下部材を備えた使い捨てのパンツ型おむつであって、
前記胴回り被覆部材は、前記胴回り被覆部材の周方向へ互いに並行して延びる複数条の弾性部材が伸長状態で取り付けられている弾性域を有し、
前記股下部材は、前記前端部分と前記後端部分とを結ぶ方向へ延びる長さ方向を有するものであって、前記吸収体を前記おむつの内側から被覆する透水性の表面シートと前記吸収体を前記おむつの外側から被覆する不透水性の裏面シートとによって形成される被覆シートを有し、前記被覆シートが前記長さ方向において前記吸収体からの延出部を有し、
前記おむつの上下方向において、前記股下部材は、前記前端部分が前記胴回り被覆部材の前記弾性域における前記内面に対して接合状態にある上方部分と、前記弾性域における前記内面に対して非接合状態にあって前記上方部分の下方に位置する下方部分とを有し、前記上下方向の下方から前記下方部分に隣接する部位が前記おむつにおいて前記弾性域の下方に形成されていて前記周方向へ延びる弾性部材を含むことのない非弾性域に対して接合状態にあり、
前記股下部材の下方から上方に向かって前記長さ方向へ延びる前記吸収体が前記下方部分にまで延びていて、前記上方部分が前記被覆シートの前記延出部によって形成されていることを特徴とする前記おむつ。
【００３２】
これまでの段落で開示したこの発明に係る使い捨てのパンツ型おむつは、少なくとも下記の実施の形態を含み、それらの形態は、分離または互いに組み合わせて採択することができる。
（１）前記下方部分は、前記胴回り被覆部材の前記周方向において対向する両側縁部を有し、前記両側縁部それぞれの一部分が前記弾性域に接合している。
（２）前記吸収体は、前記下方部分の下方において互いに並行して前記長さ方向へ延びる複数の圧搾条溝を有し、前記圧搾条溝が前記長さ方向に直交する幅方向の寸法を二等分する中心線に関して対称となるように形成されている。
（３）前記股下部材には、前記股下部材の両側それぞれに、近位縁部と遠位縁部とを有していて前記長さ方向へ延びる防漏カフ部が形成され、前記遠位縁部は前記長さ方向においての弾性的な伸長と収縮とが可能に形成されていて前記長さ方向における一端部が前記下方部分に位置している。
（４）前記吸収体は、体液吸収性の芯材を透水性のラッピングシートで被覆することにより形成されていて、前記幅方向では、前記圧搾条溝どうしの間において前記透水性シートどうしが重なり合っている。
（５）前記胴回り被覆部材および前記股下部材は、前記胴回り被覆部材における前記弾性域よりも下方に、前記周方向へ延びる弾性部材を含むことのないものである。
【符号の説明】
【００３３】
１    胴回り被覆部材
２    股下部材
３    前胴回り部
４    後胴回り部
５    股下部
１０    使い捨てのパンツ型おむつ
２１    弾性部材
２２    弾性部材
２６    前端部分
２６ａ  上方部分
２６ｂ  下方部分
２７    後端部分
３１    体液吸収部
３２    防漏カフ部
３３    近位縁部
３４    遠位縁部
４０    吸収体
４１    芯材
４２    ラッピングシート
４３    表面シート
４４    裏面シート
６１    圧搾条溝
Ｐ      中心線
【図１】
2015000180.tif 000003
【図２】
2015000180.tif 000004
【図３】
2015000180.tif 000005
【図４】
2015000180.tif 000006
【図５】
2015000180.tif 000007
【図６】
2015000180.tif 000008
【図７】
2015000180.tif 000009
【図８】
2015000180.tif 000010
【図９】
2015000180.tif 000011
【図１０】
2015000180.tif 000012